【手続補正書】
【提出日】平成28年5月20日(2016.5.20)
【手続補正１】
【補正対象書類名】特許請求の範囲
【補正対象項目名】全文
【補正方法】変更
【補正の内容】
【特許請求の範囲】
【請求項１】
第１のトナーに関連するとともにトナー貯蔵領域とトナー供給ローラと現像ローラと感光ドラムとを含む非磁性トナーカートリッジを再生産する方法であって、
ａ）第２のトナーで前記トナー貯蔵領域を補充するステップであって、前記第２のトナーに関連する摩擦帯電性が前記第１のトナーに関連する摩擦帯電性とは異なる、ステップと、
ｂ）トナー供給ローラコンタクトと現像ローラコンタクトの間に所定の抵抗値を有する抵抗器を電気的に接続するステップであって、前記抵抗器の所定の抵抗値が、前記第１のトナーと前記第２のトナーに関連する前記摩擦帯電性の相対的な差に関連している、ステップと、
を含み、
前記抵抗器が、静電プロセス中に前記トナーカートリッジを使用している間、前記トナー供給ローラと前記現像ローラとの間の電界を変更する、
方法。
【請求項２】
前記静電プロセスはプリントに関連する、請求項１に記載の方法。
【請求項３】
前記抵抗器が前記トナー供給ローラに関連する電気的コンタクトと前記現像ローラに関連する電気的コンタクトとに電気的接続され、前記電気的コンタクトが前記トナーカートリッジに関連する一つの長手方向端部に実質的に近傍にある、請求項１に記載の方法。
【請求項４】
前記抵抗器の前記所定抵抗値が通常使用時に前記トナーカートリッジに外的に提供されたバイアス電圧と前記第２のトナーに関連する前記摩擦帯電性との関数である、請求項１に記載の方法。
【請求項５】
前記抵抗器が前記トナー供給ローラと前記現像ローラとの間でバイアス電圧を変更する、請求項１に記載の方法。
【請求項６】
前記トナー供給ローラコンタクトを含む第１のスタンピングと前記現像ローラコンタクトを含む第２のスタンピングが、前記抵抗器を含む単体のスタンピングに交換される、請求項１に記載の方法。
【請求項７】
前記第２のトナーに関連する前記摩擦帯電性が４０μＣ／ｇ以下である、請求項１に記載の方法。
【請求項８】
前記変更された電界が１２５〜２００Ｖである、請求項１に記載の方法。
【請求項９】
前記感光ドラム、クリーニングブレード、およびシールの一以上を交換するステップを更に含む請求項１に記載の方法。
【請求項１０】
前記抵抗器が、前記第２のトナーの摩擦帯電性、帯電ブレードの位置、クリーニングブレードの位置、および前記フォトレセプタの感度の一以上の関数である、請求項１に記載の方法。
【請求項１１】
再生産された非磁性トナーカートリッジであって、
前記カートリッジに関連する元のトナーとは異なる摩擦帯電性に関連する交換用トナーを含むトナー貯蔵領域と、
前記カートリッジの外部の電源に接続するように構成された第１の電気的コンタクトに動作可能に接続されるトナー供給ローラと、
前記カートリッジの外部の電源に接続するように構成された第２の電気的コンタクトに動作可能に接続される現像ローラと、
感光ドラムと、
前記第１の電気的コンタクトと前記第２の電気的コンタクトに動作可能に接続される抵抗器と、
を含み、
前記抵抗器が、静電プロセス中にトナーカートリッジを使用している間、前記交換用トナーを前記現像ローラへ引き込むために、前記トナー供給ローラと前記現像ローラとの間の電界を変更する、
再生産された非磁性トナーカートリッジ。
【請求項１２】
前記静電プロセスはプリントに関連する、請求項１１に記載の再生産された非磁性トナーカートリッジ。
【請求項１３】
前記抵抗器が、前記トナー供給ローラに関連する電気的にコンタクトと、前記現像ローラに関連する電気的コンタクトと、に電気的に接続され、前記電気的コンタクトが前記トナーカートリッジに関連する一つの長手方向端部の略近傍にある、請求項１１に記載の再生産された非磁性トナーカートリッジ。
【請求項１４】
前記抵抗器の前記所定の抵抗値が通常使用中の前記トナーカートリッジに外的に提供されるバイアス電圧と前記第２のトナーに適切に関連する前記摩擦帯電性との関数である、請求項１１に記載の再生産された非磁性トナーカートリッジ。
【請求項１５】
前記抵抗器が前記トナー供給ローラと前記現像ローラの間の電界を変更する、請求項１１に記載の再生産された非磁性トナーカートリッジ。
【請求項１６】
前記トナー供給ローラコンタクトを含む第１のスタンピングと前記現像ローラコンタクトを含む第２のスタンピングが、前記抵抗器を含む単体のスタンピングに交換される、請求項１１に記載の再生産された非磁性トナーカートリッジ。
【請求項１７】
前記第２のトナーに関連する前記摩擦帯電性が４０μＣ／ｇ以下である、請求項１１に記載の再生産された非磁性トナーカートリッジ。
【請求項１８】
前記変更された電界が１２５〜２００Ｖである、請求項１１に記載の再生産された非磁性トナーカートリッジ。
【請求項１９】
前記感光ドラム、クリーニングブレード、およびシールの一以上を交換する、請求項１１に記載の再生産された非磁性トナーカートリッジ。
【請求項２０】
前記抵抗が、前記第２のトナーの摩擦帯電性、帯電ブレードの位置、クリーニングブレードの位置、および前記フォトレセプタの感度の一以上の関数である、請求項１１に記載の再生産された非磁性トナーカートリッジ。
【請求項２１】
交換トナーを含む再生産された非磁性トナーカートリッジに関連するトナー供給ローラと現像ローラの間の電界を変更する方法であって、
前記トナー供給ローラと前記現像ローラの間で抵抗器に動作可能に接続するステップであって、前記交換トナーに関連する摩擦帯電特性に基づいて前記トナー供給ローラと前記現像ローラの間の電界を変更するために前記抵抗器の抵抗値を選択するステップを含む、方法。
【手続補正２】
【補正対象書類名】明細書
【補正対象項目名】００４６
【補正方法】変更
【補正の内容】
【００４６】
要するに、提供されている再生産方法および再生産されたデバイスは、デバイスが分布においてＷＳ／ＬＣ端末を有するトナーの選別による現像量を少なくするために供給ローラと現像ローラの間の電界を変更するステップを含む。このステップは、顧客や現場の技術者が介入しなくとも、現像部品に印加される電圧を変更するために単に再生産アセンブリへ抵抗器を追加することによって達成される。なお、以下に本発明の構成の一例を付記として示す。
（付記１）
第１のトナーに関連するとともにトナー貯蔵領域とトナー供給ローラと現像ローラと感光ドラムとを含む非磁性トナーカートリッジを再生産する方法であって、
ａ）第２のトナーで前記トナー貯蔵領域を補充するステップであって、前記第２のトナーに関連する摩擦帯電性が前記第１のトナーに関連する摩擦帯電性とは異なる、ステップと、
ｂ）トナー供給ローラコンタクトと現像ローラコンタクトの間に所定の抵抗値を有する抵抗器を電気的に接続するステップであって、前記抵抗器の所定の抵抗値が、前記第１のトナーと前記第２のトナーに関連する前記摩擦帯電性の相対的な差に関連している、ステップと、
を含み、
前記抵抗器が、静電プロセス中に前記トナーカートリッジを使用している間、前記トナー供給ローラと前記現像ローラとの間の電界を変更する、
方法。
（付記２）
前記抵抗器が前記トナー供給ローラに関連する電気的コンタクトと前記現像ローラに関連する電気的コンタクトとに電気的接続され、前記電気的コンタクトが前記トナーカートリッジに関連する一つの長手方向端部に実質的に近傍にあり、前記抵抗器の前記所定抵抗値が通常使用時に前記トナーカートリッジに外的に提供されたバイアス電圧と前記第２のトナーに関連する前記摩擦帯電性との関数である、付記１に記載の方法。
（付記３）
前記抵抗器が前記トナー供給ローラと前記現像ローラとの間でバイアス電圧を変更し、前記第２のトナーに関連する前記摩擦帯電性が４０μＣ／ｇ以下であり、前記変更された電界が１２５〜２００Ｖである、付記１に記載の方法。
（付記４）
前記感光ドラム、クリーニングブレード、およびシールの一以上を交換するステップを更に含む付記１に記載の方法。
（付記５）
前記抵抗器が、前記第２のトナーの摩擦帯電性、帯電ブレードの位置、クリーニングブレードの位置、および前記フォトレセプタの感度の一以上の関数である、付記１に記載の方法。
（付記６）
再生産された非磁性トナーカートリッジであって、
前記カートリッジに関連する元のトナーとは異なる摩擦帯電性に関連する交換用トナーを含むトナー貯蔵領域と、
前記カートリッジの外部の電源に接続するように構成された第１の電気的コンタクトに動作可能に接続されるトナー供給ローラと、
前記カートリッジの外部の電源に接続するように構成された第２の電気的コンタクトに動作可能に接続される現像ローラと、
感光ドラムと、
前記第１の電気的コンタクトと前記第２の電気的コンタクトに動作可能に接続される抵抗器と、
を含み、
前記抵抗器が、静電プロセス中にトナーカートリッジを使用している間、前記交換用トナーを前記現像ローラへ引き込むために、前記トナー供給ローラと前記現像ローラとの間の電界を変更する、
再生産された非磁性トナーカートリッジ。
（付記７）
前記抵抗器が、前記トナー供給ローラに関連する電気的にコンタクトと、前記現像ローラに関連する電気的コンタクトと、に電気的に接続され、前記電気的コンタクトが前記トナーカートリッジに関連する一つの長手方向端部の略近傍にあり、前記抵抗器の前記所定の抵抗値が通常使用中の前記トナーカートリッジに外的に提供されるバイアス電圧と前記第２のトナーに適切に関連する前記摩擦帯電性との関数であり、前記抵抗器が前記トナー供給ローラと前記現像ローラの間の電界を変更する、付記６に記載の再生産された非磁性トナーカートリッジ。
（付記８）
前記第２のトナーに関連する摩擦帯電性が４０μＣ／ｇ以下であり、前記変更された電界が１２５〜２００Ｖである、付記６に記載の再生産された非磁性トナーカートリッジ。
（付記９）
前記抵抗が、前記第２のトナーの摩擦帯電性、帯電ブレードの位置、クリーニングブレードの位置、および前記フォトレセプタの感度の一以上の関数である、付記６に記載の再生産された非磁性トナーカートリッジ。
（付記１０）
交換トナーを含む再生産された非磁性トナーカートリッジに関連するトナー供給ローラと現像ローラの間の電界を変更する方法であって、
前記トナー供給ローラと前記現像ローラの間で抵抗器に動作可能に接続するステップであって、前記交換トナーに関連する摩擦帯電特性に基づいて前記トナー供給ローラと前記現像ローラの間の電界を変更するために前記抵抗器の抵抗値を選択するステップを含む、
方法。